(57)【要約】      （修正有）【課題】建物の天井面に空調装置の室外機を設置する際に、設置前作業や吊り上げ作業が簡単であり、吊り上げ時の安定性を向上して吊り上げを１人の作業者で行うことでき、室外機を容易かつ迅速に天井面に設置にする。【解決手段】建物の天井面に設置される空調装置の室外機を搭載する本体を設け、この本体の下面に回転可能に設けた巻取りドラムの外周に４つの巻取り溝を設け、この４つの巻取り溝に各一端側を夫々固定した４本のケーブルの他端側を上方向に案内する４つのガイドプーリを設け、４本のケーブルの他端側には一対の取付け部材に夫々係止される係止具を設け、巻取りドラムを回転させるドラム回転機構はウォームギヤにより構成され、このウォームギヤのウォームの駆動軸には携帯用電動回転工具の着脱部が着脱可能に装着される装着部を設けたことによって達成される。【選択図】  図１
2007162964.tif 000002
【特許請求の範囲】
【請求項１】
建物の天井面に吊り下げ器具により吊り下げて設置される空調装置の室外機を搭載する本体を設け、この本体の下面に巻取りドラムを回転可能に設け、この巻取りドラムの外周には４つの巻取り溝を設け、この４つの巻取り溝に各一端側を夫々固定されて巻出し・巻取りされる４本のケーブルを設け、これら４本のケーブルを上方向に向かって案内する４つのガイドプーリを設け、前記４本のケーブルの他端側には前記建物の天井面に取り付けられた前記吊り下げ器具の一対の取付け部材に係止される係止具を設け、前記巻取りドラムを回転させるドラム回転機構を設け、このドラム回転機構は前記巻取りドラムに付設されたウォームホイールとこのウォームホイールに噛合するウォームとからなるウォームギヤにより構成され、このウォームギヤのウォームの駆動軸には携帯用電動回転工具の着脱部が着脱可能に装着される装着部を設けたことを特徴とする空調装置の室外機昇降装置。
【発明の詳細な説明】
【技術分野】
【０００１】
この発明は空調装置の室外機昇降装置に係り、特に、建物の天井面に空調装置の室外機を容易かつ迅速に設置にすることができる空調装置の室外機昇降装置に関する。
【背景技術】
【０００２】
空調装置は、建物の屋内に設置する室内機と屋外に設置する室外機とから構成される。空調装置の室外機は、建物から張り出したベランダ等の張出部の天井面を利用して、吊り下げ器具により吊り下げて設置する場合がある。
【０００３】
従来の吊り下げ器具には、建物の天井面に取り付けられる一対の平行な取付け部材と、各取付け部材から夫々垂下される吊り下げ部材と、一方の取付け部材から垂下される吊り下げ部材と他方の取付け部材から垂下される吊り下げ部材との各下端を連結して空調装置の室外機を支持する支持部材とを備えているものがある。
【特許文献１】特開２０００−２５７９１９号公報
【０００４】
また、前記空調装置の室外機を建物の天井面に吊り下げ器具により吊り下げて設置する際には、室外機を天井面の近くまで持ち上げる必要がある。従来は、複数人の作業者により室外機を持ち上げ、また、足場を組んで滑車により室外機を吊り上げ、あるいは、リフト機構により室外機を持ち上げていた。
【０００５】
従来の空調装置の室外機を吊り下げて設置する装置としては、天井面に取り付けた吊り下げ器具の一対の平行な取付け部材に夫々座金を取り付けて回転軸を軸支し、この回転軸に取り付けた一対のローラに夫々ロープを巻掛け、この２本のロープの下端を室外機が搭載された吊り下げ器具の支持部材の幅方向両側に係止し、回転軸を軸回転機構により回転させて室外機を吊り上げるものがある。
【特許文献２】特開平９−２１０４１１号公報
【発明の開示】
【発明が解決しようとする課題】
【０００６】
ところが、特許文献２に開示される装置は、室外機の設置に際して、吊り下げ器具に座金や回転軸、ローラ、ロープを組み付けなければならないため、設置前作業に手間がかかる問題があり、吊り上げ時に、軸回転機構の操作用チェーンを作業者が手作業で引いて室外機を引き上げているため、吊り上げ作業に手間がかかる問題があった。
【０００７】
また、特許文献２に開示される装置は、室外機を搭載した支持部材の幅方向両側に２本のロープを係止して吊り上げているため、吊り上げ時に室外機を搭載した支持部材が遊動して安定性に欠ける問題があり、軸回転機構の操作用チェーンを引く作業に合わせて、室外機を搭載した支持部材の遊動を抑える作業を必要とすることから、１人による設置作業が困難となる問題があった。
【０００８】
この発明は、建物の天井面に空調装置の室外機を吊り下げ器具により吊り下げて設置する際に、設置前作業や吊り上げ作業が簡単であり、吊り上げ時の安定性を向上して建物の天井面への空調装置の室外機の吊り上げを１人の作業者で行うことでき、室外機を容易かつ迅速に天井面に設置にすることを目的とする。
【課題を解決するための手段】
【０００９】
この発明は、建物の天井面に吊り下げ器具により吊り下げて設置される空調装置の室外機を搭載する本体を設け、この本体の下面に巻取りドラムを回転可能に設け、この巻取りドラムの外周には４つの巻取り溝を設け、この４つの巻取り溝に各一端側を夫々固定されて巻出し・巻取りされる４本のケーブルを設け、これら４本のケーブルを上方向に向かって案内する４つのガイドプーリを設け、前記４本のケーブルの他端側には前記建物の天井面に取り付けられた前記吊り下げ器具の一対の取付け部材に係止される係止具を設け、前記巻取りドラムを回転させるドラム回転機構を設け、このドラム回転機構は前記巻取りドラムに付設されたウォームホイールとこのウォームホイールに噛合するウォームとからなるウォームギヤにより構成され、このウォームギヤのウォームの駆動軸には携帯用電動回転工具の着脱部が着脱可能に装着される装着部を設けたことを特徴とする。
【発明の効果】
【００１０】
この発明の空調装置の室外機昇降装置は、室外機を設置する際に、本体の下面に回転可能に設けた巻取りドラムから巻出した４本のケーブルを４つのガイドプーリを介して上方向に繰出し、４本のケーブルの他端側の係止具を建物の天井面に取り付けられた吊り下げ器具の一対の取付け部材に係止することにより、室外機の設置作業を開始することができ、室外機を吊り上げる際に、ドラム回転機構を構成するウォームギヤのウォームの駆動軸に設けた装着部に携帯用電動回転工具の着脱部を装着し、携帯用電動回転工具を駆動してドラム回転機構により巻取りドラムを回転させ、４本のケーブルを巻取ることにより、本体を天井面に向かって上昇させて室外機を安定して吊り上げることができ、携帯用電動回転工具を停止させても、ドラム回転機構を構成するウォームギヤによって巻取りドラムの逆転が阻止されることにより、４本のケーブルの巻出しを防止することができる。
このため、この発明の空調装置の室外機昇降装置は、建物の天井面に空調装置の室外機を吊り下げ器具により吊り下げて設置する際に、設置前の作業や吊り上げ作業が簡単であり、吊り上げ時の安定性を向上して建物の天井面への室外機の吊り上げを１人の作業者で行うことができ、室外機を容易かつ迅速に天井面に設置にすることができる。
【発明を実施するための最良の形態】
【００１１】
この発明の空調装置の室外機昇降装置は、本体の下面に設けた巻取りドラムから巻出した４本のケーブルを４つのガイドプーリを介して上方向に繰出し、４本のケーブルの他端側の係止具を建物の天井面に取り付けられた吊り下げ器具の一対の取付け部材に係止し、ドラム回転機構を構成するウォームギヤのウォームの駆動軸に設けた装着部に携帯用電動回転工具の着脱部を装着して駆動し、ドラム回転機構により巻取りドラムを回転させて４本のケーブルを巻取ることにより、本体を天井面に向かって上昇させて室外機を安定して吊り上げるものである。
以下、図面に基づいて、この発明の実施例を説明する。
【実施例】
【００１２】
図１〜図１２は、この発明の実施例を示すものである。図１・図２において、２は建物、４は建物２の壁部、６は壁部４の壁面、８は壁部４から張り出したベランダ等の張出部、１０は張出部８の天井面である。建物２の張出部８の天井面１０には、空調装置の室外機１２を吊り下げて設置するために、吊り下げ器具１４が取り付けられる。吊り下げ器具１４は、図２に示すように、張出部８の天井面１０に４つの取付けナット１６−１〜１６−４を埋設し、各取付けナット１６−１〜１６−４に夫々取付けボルト１８−１〜１８−４を螺着している。４つの取付けナット１６−１〜１６−４は、２つを１組として２組１６−１・１６−３、１６−２・１６−４に分け、壁部４の壁面６と平行するように２組の取付けナット１６−１・１６−３、１６−２・１６−４を壁面６に対して前後に２列に配設している。
【００１３】
吊り下げ器具１４は、４つの取付けナット１６−１〜１６−４に螺着した各取付けボルト１８−１〜１８−４により天井面１０に一対の取付け部材２０−１・２０−２を壁部４の壁面６と平行に取り付け、一対の取付け部材２０−１・２０−２の長手方向両端側に夫々吊り下げ部材２２−１〜２２−４の上端を固定ボルト２４により固定する。一対の取付け部材２０−１・２０−２の長手方向一端側に夫々固定した２つの吊り下げ部材２２−１・２２−２の下端には、支持部材２６−１の長手方向両端を夫々固定ボルト２８により固定する。一対の取付け部材２０−１・２０−２の長手方向他端側に夫々固定した２つの吊り下げ部材２２−３・２２−４の下端には、支持部材２６−２の長手方向両端を夫々固定ボルト２８により固定する。吊り下げ器具１４は、一対の支持部材２６−１・２６−２により室外機１２を支持し、天井面１０に室外機１２を吊り下げて設置する。
【００１４】
室外機１２を吊り下げ器具１４により天井面１０に吊り下げて設置するために、室外機１２を昇降させる室外機昇降装置３０は、図３〜図１０に示すように、室外機１２を搭載する長四角枠形状の本体３２を設けている。本体３２は、図３・図５に示すように、３本の長い横材３４−１〜３４−４と６本の短い縦材３６−１〜３６−６とにより長四角枠形状に形成される。
【００１５】
この本体３２の下面３８には、支持枠４０を設けている。支持枠４０は、図４〜図７に示すように、横材３４−２の下側に取り付けられる略Ｕ字形状の横支持材４２と、縦材３６−３の下側に取り付けられる略Ｕ字形状の縦支持材４４とからなり、横支持材４２及び縦支持材４４を本体３２の略中心部で交差させて連結している。横材３４−２及び縦材３６−３が交差する部分と、横支持材４２及び縦支持材４４が交差する部分との間には、図８に示すように、本体３２の略中心部に位置させて、軸受４６・４８により上下方向に指向する回転軸５０を軸支している。
【００１６】
回転軸５０には、巻取りドラム５２を設けている。この巻取りドラム５２の外周には、図８に示すように、４つの巻取り溝５４−１〜５４−４を上下方向に同軸上に並べて設けている。この４つの巻取り溝５４−１〜５４−４には、４本のケーブル５６−１〜５６−４の各一端側を夫々固定している。４本のケーブル５６−１〜５６−４は、巻取りドラム５２の４つの巻取り溝５４−１〜５４−４から、本体３２の下面３８と平行な水平方向であって、長四角枠形状の本体３２の各隅部に向かって巻出し・巻取りされる。巻取りドラム５２の周囲には、ケーブル５６−１〜５６−４に張力が作用していない場合に、巻取り溝５４−１〜５４−４から外れることを阻止するケーブル押さえ具５８を設けている。ケーブル押さえ具５８は、巻取りドラム５２外周に近接して、支持枠４０の横支持材４２及び縦支持材４４の各上部に４つ取り付けられている。
【００１７】
本体３２の下面３８には、各隅部に４つのガイドプーリ６０−１〜６０−４を設けている。４つのガイドプーリ６０−１〜６０−４は、各ケーブル５６−１〜５６−４の延びる方向にプーリ溝６２−１〜６２−４（図９・図１０参照）を平行させ、保持軸６４−１〜６４−４に回転可能に保持されている。保持軸６４−１〜６４−４は、本体３２の下面３８の各隅部に取り付けられた保持具６６−１〜６６−４に保持されている。４つのガイドプーリ６０−１〜６０−４は、巻取りドラム５２から水平方向に巻出し・巻取りされる４本のケーブル５６−１〜５６−４を、上方向に向かって湾曲させて上下方向に繰り出し・引き込むように案内する。
【００１８】
４つのガイドプーリ６０−１〜６０−４は、図６〜図８に示すように、各ケーブル５６−１〜５６−４の接する最下位置が、巻取りドラム５２に設けた４つの巻取り溝５４−１〜５４−４の本体３２の下面３８からの各距離Ｄ１〜Ｄ４と一致するように、各保持軸６４−１〜６４−４の保持位置を異ならせて夫々保持具６６−１〜６６−４に保持されている。また、４つのガイドプーリ６０−１〜６０−４は、図９・図１０に示すように、各保持具６６−１〜６６−４の下側を本体３２の幅方向内側に向かって角度θ（例えば、３度）だけ傾けて取り付け、４本のケーブル５６−１〜５６−４が本体３２の幅方向外側に向かってわずかに斜めの上下方向に繰り出し・引き込まれるように、本体３２の下面３８に対して最下位置を幅方向内側に傾斜させて保持軸６４−１〜６４−４に軸支されている。
【００１９】
前記４本のケーブル５６−１〜５６−４の他端側には、夫々係止具６８−１〜６８−４を設けている。係止具６８−１〜６８−４は、図９・図１０に示すように、ケーブル５６−１〜５６−４の他端側に固定された係止用環状部７０−１〜７０−４と、吊り下げ器具１４の一対の取付け部材２０−１・２０−２に係止される係止用ボルト部７２−１〜７２−４とからなる。係止具６８−１〜６８−４は、係止用環状部７０−１〜７０−４に形成した嵌合部７４−１〜７４−４を、係止用ボルト部７２−１〜７２−４に形成した嵌合穴７６−１〜７６−４に、遊びを持たせて嵌合することにより、係止用環状部７０−１〜７０−４に対して係止用ボルト部７２−１〜７２−４を回転可能に連絡している。
【００２０】
前記建物２の天井面１０に取り付けられた吊り下げ器具１４の一対の取付け部材２０−１・２０−２の長手方向両端には、図２に示すように、夫々係止用ナット部７８−１〜７８−４を取付けている。係止具６８−１〜６８−４は、係止用ボルト部７２−１〜７２−４を回転させて、一対の取付け部材２０−１・２０−２の長手方向両端に取付けた係止用ナット部７８−１〜７８−４に螺着することにより、一対の取付け部材２０−１・２０−２に係止される。
【００２１】
前記本体３２の下面３８には、前記巻取りドラム５２を回転させるドラム回転機構８０を設けている。このドラム回転機構８０は、図７・図８に示すように、巻取りドラム５２に付設されたウォームホイール８２と、このウォームホイール８２に噛合するウォーム８４とからなるウォームギヤ８６により構成される。ウォームホイール８２は、巻取りドラム５２の上部に固定され、回転軸５０により巻取りドラム５２と同期して回転する。ウォーム８４は、図５に示すように、軸線方向両側を軸受８８・９０により回転可能に軸支されている。軸受８８・９０は、縦材３６−４の下側に取り付けられた軸受保持体９２・９４に保持されている。
【００２２】
このウォームギヤ８６のウォーム８４には、軸線方向一側に駆動軸９６を設けている。駆動軸９６は、図７に示すように、一端側を軸受８８及び軸受保持体９２に貫通させてウォーム８４に結合し、他端側を横材３４−１から外側に突出するように延長している。駆動軸９６は、他端側を軸受９８により回転可能に軸支されている。軸受９８は、縦材３６−４の下側に取り付けた軸受保持具１００に保持されている。横材３４−１から外側に突出された駆動軸９６の他端側には、装着部１０２を設けている。装着部１０２には、携帯用電動回転工具である充電式の電動ドライバ１０４の着脱部であるチャック１０６が着脱可能に装着される。
【００２３】
次に、この実施例の作用を説明する。
【００２４】
室外機昇降装置３０により室外機１２を昇降させ、建物２の天井面１０に吊り下げ器具１４により吊り下げて設置する際には、図１・図２に示すように、建物２の天井面１０に吊り下げ器具１４の一対の取付け部材２０−１・２０−２を、取付けナット１６−１〜１６−４及び取付けボルト１８−１〜１８−４により取り付ける。
【００２５】
室外機昇降装置３０は、長四角枠形状の本体３２を建物２の張出部８の下方に持ち込み、床面に載置する。室外機昇降装置３０は、本体３２に室外機１２を搭載し、本体３２の下面３８の巻取りドラム５２から巻出した４本のケーブル５６−１〜５６−４を４つのガイドプーリ６０−１〜６０−４を介して上方向に繰出し、係止具６８−１〜６８−４の係止用ボルト部７２−１〜７２−４を一対の取付け部材２０−１・２０−２の係止用ナット部７８−１〜７８−４に螺着して、取付け部材２０−１・２０−２に係止具６８−１〜６８−４を係止する。
【００２６】
これにより、室外機昇降装置３０は、室外機１２を吊り上げて、吊り下げ器具１４による設置作業を開始できるようになる。
【００２７】
室外機昇降装置３０は、室外機１２を搭載した本体３２から突出された駆動軸９６の装着部１０２に電動ドライバ１０４のチャック１０６を装着し、電動ドライバー１０４を駆動してドラム回転機構８０により巻取りドラム５２を図３の矢印Ｅ方向に回転させると、４本のケーブル５６−１〜５６−４が巻取りドラム５２の巻取り溝５４−１〜５４−４に巻き取られて、本体３２を天井面１０に向かって上昇させる。
【００２８】
このとき、室外機昇降装置３０は、図１１に示すように、本体３２の幅方向において対となるガイドプーリ６０−１・６０−２及びガイドプーリ６０−３・６０−４の最下位置間の距離をＬ１とし、一対の取付け部材２０−１・２０−２に埋設した対となる係止用ナット７８−１・７８−２及び係止用ナット７８−３・７８−４の埋設位置間の距離をＬ２とし、各ガイドプーリ６０−１〜６０−４の最下位置から各係止用ナット７８−１〜７８−４の埋設位置までの距離をＬ３とすると、距離Ｌ１に対する距離Ｌ２の差が大きいほど、また、距離Ｌ３が小さくなるほど、ガイドプーリ６０−１〜６０−４に対してケーブル５６−１〜５６−４が本体３２の幅方向外側に傾いて、ケーブル５６−１〜５６−４がプーリ溝６２−１〜６２−４から外れやすくなる。
【００２９】
この室外機昇降装置３０は、４つのガイドプーリ６０−１〜６０−４の各ケーブル５６−１〜５６−４が接する最下位置を、４つの巻取り溝５４−１〜５４−４の本体３２の下面３８からの各距離Ｄ１〜Ｄ４と一致するように異ならせたことにより、巻取りドラム５２に均等に且つ安定して巻出し・巻取りさせることができ、また、４つのガイドプーリ６０−１〜６０−４の下側を、本体３２の下面３８に対して幅方向内側に傾斜させて軸支していることにより、ガイドプーリ６０−１〜６０−４に対するケーブル５６−１〜５６−４の幅方向外側への傾きを小さくすることができ、ケーブル５６−１〜５６−４がプーリ溝６２−１〜６２−４から外れることを防止でき、室外機１２を安定して吊り上げ・吊り降ろしすることができる。
【００３０】
なお、この室外機昇降装置３０は、図１２に示すように、ガイドプーリ６０−１・６０−２及びガイドプーリ６０−３・６０−４の最下位置間の距離Ｌ１が、係止用ナット７８−１・７８−２及び係止用ナット７８−３・７８−４の埋設位置間の距離Ｌ２と等しい場合に、ガイドプーリ６０−１〜６０−４に対するケーブル５６−１〜５６−４の本体３２の幅方向内側への傾きを小さくすることができ、ケーブル５６−１〜５６−４がプーリ溝６２−１〜６２−４から外れることを防止でき、室外機１２を安定して吊り上げ・吊り降ろしすることができる。
【００３１】
室外機昇降装置３０は、室外機１２を設置位置よりもわずかに上方まで吊り上げると、電動ドライバ１０４を停止する。室外機昇降装置３０は、電動ドライバ１０４を停止させても、ドラム回転機構８０を構成するウォームギヤ８６によって巻取りドラム５２の逆転が阻止されることにより、４本のケーブル５６−１〜５６−４の巻出しを防止することができ、室外機１２を設置位置よりもわずかに上方の位置に停止させることができる。
【００３２】
吊り下げ器具１４は、室外機１２を設置位置よりもわずかに上方の位置に停止させた状態において、一対の取付け部材２０−１・２０−２に夫々吊り下げ部材２２−１〜２２−４の上端を固定し、２組の吊り下げ部材２２−１・２２−２、２２−３・２２−４の各下端同士を支持部材２６−１・２６−２により連結する。支持部材２６−１・２６−２は、室外機１２のわずかに下側に位置されて、２組の吊り下げ部材２２−１・２２−２、２２−３・２２−４の各下端に連結される。
【００３３】
室外機昇降装置３０は、電動ドライバー１０４を駆動してドラム回転機構８０により巻取りドラム５２を図３の矢印Ｆ方向に回転させて、４本のケーブル５６−１〜５６−４を巻取りドラム５２の巻取り溝５４−１〜５４−４から巻き出してわずかに下降させると、支持部材２６−１・２６−２上に室外機１２が支持される。
【００３４】
室外機昇降装置３０は、支持部材２６−１・２６−２上に室外機１２を支持させた後に、電動ドライバ１０４を駆動してドラム回転機構８０により巻取りドラム５２を図３の矢印Ｆ方向にさらに回転させ、４本のケーブル５６−１〜５６−４を巻取りドラム５２から巻き出して本体３２を下降させ、床面に降ろす。本体３２を床面に降ろした室外機昇降装置３０は、係止具６８−１〜６８−４の係止用ボルト部７２−１〜７２−４を回転させて取付け部材２０−１・２０−２の係止用ナット部７８−１〜７８−４から取り外し、電動ドライバ１０４を駆動して巻取りドラム５２にケーブル５６−１〜５６−４を巻取ることにより、室外機１２を設置場所から容易に持ち出すことができる。
【００３５】
このように、室外機昇降装置３０は、室外機１２を設置する際に、長四角枠形状の本体３２の下面３８の略中心部に回転軸５０により回転可能に設けた巻取りドラム５２から巻出した４本のケーブル５６−１〜５６−４を本体３２の下面３８の各隅部に設けた４つのガイドプーリ６０−１〜６０−４を介して上方向に繰出し、４本のケーブル５６−１〜５６−４の他端側の係止具６８−１〜６８−４を建物２の天井面１０に取り付けられた吊り下げ器具１４の一対の取付け部材２０−１・２０−２の長手方向両端に夫々係止することにより、室外機１２の設置作業を開始することができる。
【００３６】
また、室外機昇降装置３０は、室外機１２を吊り上げる際に、ドラム回転機構８０を構成するウォームギヤ８６のウォーム８４の駆動軸９６に設けた装着部１０２に電動ドライバ１０４のチャック１０６を装着し、電動ドライバ１０４を駆動してドラム回転機構８０により巻取りドラム５２を回転させ、４本のケーブル５６−１・５６−４を巻取ることにより、本体３２を天井面１０に向かって上昇させて室外機１２を安定して吊り上げることができる。
【００３７】
このとき、室外機昇降装置３０は、電動ドライバ１０２を停止させても、ドラム回転機構７６を構成するウォームギヤ８６によって巻取りドラム５２の逆転が阻止されることにより、４本のケーブル５６−１〜５６−４の巻出しを防止して、室外機１２の下降を防止することができる。
【００３８】
このため、この室外機昇降装置３０は、建物２の天井面１０に空調装置の室外機１２を吊り下げ器具１４により吊り下げて設置する際に、設置前の作業や吊り上げ作業が簡単であり、吊り上げ時の安定性を向上して建物２の天井面１０への室外機１２の吊り上げを１人の作業者で行うことができ、室外機１２を容易かつ迅速に天井面１０に設置にすることができる。
【００３９】
なお、この実施例の室外機昇降装置３０は、建物２の天井面１０に吊り下げ器具１４により室外機１２を吊り下げて設置する場合を例示したが、図１３・図１４に示すように、建物２の壁部４の壁面６に支持器具１０８により室外機１２を支持して設置する場合にも適用することができる。
【００４０】
図１４に示す支持器具１０８は、建物２の壁面６に取付けナット及び取付けボルト１１０により支持器具１０８の取付け部材１１２を水平に取り付け、取付け部材１１２の長手方向両端側に夫々垂下部材１１４−１・１１４−２の上端を固定ボルト１１６により固定し、一対の垂下部材１１４−１・１１４−２の下端に壁面６から突出するように夫々支持部材１１８−１・１１８−２を固定ボルト１２０により固定している。支持器具１０８は、一対の支持部材１１８−１・１１８−２により室外機１２を支持し、壁面６に室外機１２を設置する。
【００４１】
室外機１２を支持器具１０８により壁面６に支持して設置するために、取付け部材１１２の長手方向両端に上下方向に長い夫々固定部材１２２−１・１２２−２の中間を固定ボルト１２４により固定し、一対の固定部材１２２−１・１２２−２の下端に壁面６との隙間を調整する調整具１２６−１・１２６−２を設け、一対の固定部材１２２−１・１２２−２の上端に壁面６から突出するように夫々吊り部材１２８−１・１２８−２を固定ボルト１３０により固定し、吊り部材１２８−１・１２８−２に係止用ナット部１３２−１〜１３２−４を取り付けている。
【００４２】
建物２の壁面６に支持器具１０８により室外機１２を設置する際には、支持器具１０８の支持部材１１８−１・１１８−２を外した状態において、図１３に示すように、室外機昇降装置３０の本体３２を吊り部材１２８−１・１２８−２の下方に持ち込んで床面に載置し、本体３２に室外機１２を搭載し、巻取りドラム５２から巻出した４本のケーブル５６−１〜５６−４を４つのガイドプーリ６０−１〜６０−４を介して上方向に繰出し、係止具６８−１〜６８−４の係止用ボルト部７２−１〜７２−４を吊り部材１２８−１・１２８−２の係止用ナット部１３２−１〜１３２−４に螺着して、係止具６８−１〜６８−４を係止する。
【００４３】
室外機昇降装置３０は、この状態から電動ドライバー１０４を駆動してドラム回転機構８０により巻取りドラム５２を回転させ、４本のケーブル５６−１〜５６−４を巻取って本体３２に搭載した室外機１２を設置位置よりもわずかに上方に吊り上げ、支持器具１０６の一対の垂下部材１１４−１・１１４−２の下端に夫々支持部材１１８−１・１１８−２を固定した後に、巻取りドラム５２から４本のケーブル５６−１〜５６−４をわずかに巻き出して室外機１２を支持部材１１８−１〜１１８−４に支持させる。
【００４４】
室外機１２を支持部材１１８−１〜１１８−２に支持させた室外機昇降装置３０は、巻取りドラム５２から４本のケーブル５６−１〜５６−４を巻き出して本体１２を床面に降ろし、係止具６８−１〜６８−４の係止用ボルト部７２−１〜７２−４を吊り部材１２８−１・１２８−２の係止用ナット部１３２−１〜１３２−４から取り外し、巻取りドラム５２にケーブル５６−１〜５６−４を巻取ることにより、室外機１２を設置場所から容易に持ち出すことができる。
【００４５】
このように、この室外機昇降装置３０は、建物２の壁部４の壁面６に室外機１２を支持器具１０８により支持して設置する場合にも適用することができる。
【００４６】
また、この室外機昇降装置３０は、足場を組んで室外機１２を吊り下げ器具１４により吊り下げて設置する場合にも適用でき、室内機を天井に埋め込んで設置する場合や、室内機を天井に吊り下げて設置する場合にも適用することができる。
【００４７】
さらに、この室外機昇降装置３０は、巻取りドラム５２にウォームホイール８２を固定して一体化しているが、巻取りドラム５２とウォームホイール８２とを別体にすることもでき、電動ドライバ１０４に代えて、クランクレバー等の手動式の回転器具を駆動軸９６の装着部１０２に着脱可能に設けることができ、ウォームギヤ８６により構成されるドラム回転機構８０による逆転阻止の機能に加えて、ラチェット等の掛止機構による逆転阻止の機能を付加して二重の逆転阻止の機能を設けることもでき、本体３２を長四角枠形状としたが、スライド構造として長さを可変とすることができ、係止用ボルト部７２−１〜７２−４と係止用ナット部７８−１〜７８−４とにより一対の取付け部材２０−１・２０−２に係止具６８−１〜６８−４を係止したが、アイボルトとフックとにより一対の取付け部材２０−１・２０−２に係止具６８−１〜６８−４を係止することもできる。
【産業上の利用可能性】
【００４８】
この発明の空調装置の室外機昇降装置は、本体の下面に設けた巻取りドラムから４本のケーブルを４つのガイドプーリを介して上方向に案内し、係止具を建物の天井面に取り付けられた一対の取付け部材に夫々係止し、ドラム回転機構を携帯用電動回転工具により駆動して巻取りドラムを回転させ、４本のケーブルを巻取って本体を天井面に向かって上昇させて室外機を安定して吊り上げるものであり、各種の物品を建物に沿って昇降させるものに適用することができる。
【図面の簡単な説明】
【００４９】
【図１】実施例を示す室外機昇降装置の作用を説明する側面図である。
【図２】天井面に取り付けた吊り下げ器具の斜視図である。
【図３】室外機昇降装置の平面図である。
【図４】室外機昇降装置の正面図である。
【図５】室外機昇降装置の底面図である。
【図６】室外機昇降装置の右側面図である。
【図７】室外機昇降装置の左側面図である。
【図８】巻取りドラム及びドラム回転機構の一部破断拡大側面図である。
【図９】（Ａ）は図３の矢印Ａによるガイドプーリ及びケーブル部分の拡大側面図、（Ｂ）は図３の矢印Ｂによるガイドプーリ及びケーブル部分の拡大側面図である。
【図１０】（Ｃ）は図３の矢印Ｃによるガイドプーリ及びケーブル部分の拡大側面図、（Ｄ）は図３の矢印Ｄによるガイドプーリ及びケーブル部分の拡大側面図である。
【図１１】ガイドプーリ間の距離と係止用ナット間の距離との差が大きい場合のガイドプーリ及びケーブル部分の拡大側面図である。
【図１２】ガイドプーリ間の距離と係止用ナット間の距離とが等しい場合のガイドプーリ及びケーブル部分の拡大側面図である。
【図１３】変形例を示す室外機昇降装置の作用を説明する側面図である。
【図１４】変形例を示す壁面に取り付けた支持器具の斜視図である。
【符号の説明】
【００５０】
２  建物
４  壁部
６  壁面
８  張出部
１０  天井面
１２  室外機
１４  吊り下げ器具
２０−１・２０−２  取付け部材
２２−１〜２２−４  吊り下げ部材
２６・２６−２  支持部材
３０  室外機昇降装置
３２  本体
３８  下面
５０  回転軸
５２  巻取りドラム
５６−１〜５６−４  ケーブル
６０−１〜６０−４  ガイドプーリ
６８−１〜６８−４  係止具
７８−１〜７８−４  係止用ナット部
８０  ドラム回転機構
８６  ウォームギヤ
９６  駆動軸
１０４  電動ドライバ
【図１】
2007162964.tif 000003
【図２】
2007162964.tif 000004
【図３】
2007162964.tif 000005
【図４】
2007162964.tif 000006
【図５】
2007162964.tif 000007
【図６】
2007162964.tif 000008
【図７】
2007162964.tif 000009
【図８】
2007162964.tif 000010
【図９】
2007162964.tif 000011
【図１０】
2007162964.tif 000012
【図１１】
2007162964.tif 000013
【図１２】
2007162964.tif 000014
【図１３】
2007162964.tif 000015
【図１４】
2007162964.tif 000016